(57)【要約】本発明はイベント発生情報が記録された情報保存媒体、その再生方法及び再生装置に関する。本発明による情報保存媒体は、オーディオパック、ビデオパック、及びナビゲーションパックを含むビデオオブジェクトユニットで構成された少なくとも一つのビデオオブジェクトを含むデータ構造で記録されたＡＶデータと、前記ＡＶデータのデータ構造に基づいて指定されるイベントを発生させるイベント発生情報とを含む。これにより、既存のＤＶＤ−ビデオのデータ構造をそのまま活用してさらに容易にマークアップ文書画面をＡＶ画面に同期化させて出力できる。
2005506652.tif 000002
【特許請求の範囲】
【請求項１】
オーディオパック、ビデオパック、及びナビゲーションパックを含むビデオオブジェクトユニットで構成された少なくとも一つのビデオオブジェクトを含むデータ構造で記録されたＡＶデータと、
前記ＡＶデータのデータ構造に基づいて指定されたイベントを発生させるイベント発生情報とを含むことを特徴とする情報保存媒体。
【請求項２】
前記ＡＶデータが再生されたＡＶ画面が出力されるためのマークアップ文書をさらに含み、
前記イベント発生情報は前記マークアップ文書に記録されていることを特徴とする請求項１に記載の情報保存媒体。
【請求項３】
前記ＡＶデータは少なくとも一つの前記ビデオオブジェクトで構成されたビデオタイトルセットで記録され、
前記イベント発生情報は、指定されたビデオタイトルセットの指定されたナビゲーションパックに該当するビデオオブジェクトユニットを再生する時にトリガーイベントを発生させることを要請する情報であることを特徴とする請求項１に記載の情報保存媒体。
【請求項４】
前記イベント発生情報は、指定されたビデオタイトルセットの指定されたナビゲーションパックに該当するビデオオブジェクトユニットを再生する時に指定されたコンテンツを画面に出力することを要請する情報であることを特徴とする請求項３に記載の情報保存媒体。
【請求項５】
前記コンテンツは前記マークアップ文書が再生されたマークアップ画面の所定領域に表示されることを特徴とする請求項４に記載の情報保存媒体。
【請求項６】
前記イベント発生情報は、トリガーイベント識別子、指定されたビデオタイトルセットの識別子、指定されたナビゲーションパックの識別子を含むことを特徴とする請求項４に記載の情報保存媒体。
【請求項７】
前記トリガーイベント識別子はトリガーイベントを設定するＡＰＩと、トリガーイベントを解除するＡＰＩとを提供することを特徴とする請求項６に記載の情報保存媒体。
【請求項８】
前記ビデオタイトルセット識別子はビデオタイトルセット番号ＶＴＳＮであり、ナビゲーション識別子はナビゲーションパック番号ＮＶ_ＰＣＫ_ＬＢＮであることを特徴とする請求項６に記載の情報保存媒体。
【請求項９】
前記ビデオタイトルセット識別子は現在再生中のタイトルが属しているビデオタイトルセットのビデオオブジェクト番号ＶＯＢ_ＩＤであり、ナビゲーション識別子はＶＯＢＵの再生開始時間ＶＯＢＵ_Ｓ_ＰＴＭにより決定されることを特徴とする請求項６に記載の情報保存媒体。
【請求項１０】
前記ビデオタイトルセット識別子はプログラムチェーンの番号ＰＧＣＮであり、ナビゲーション識別子はセルの経過時間Ｃ_ＥＬＴＭを使用して表示されたプログラムチェーンの再生時間または位置であることを特徴とする請求項６に記載の情報保存媒体。
【請求項１１】
前記ビデオタイトルセット識別子はタイトルの番号ＴＴＮであり、ナビゲーション識別子はタイトルの再生時間または位置であることを特徴とする請求項６に記載の情報保存媒体。
【請求項１２】
前記ＡＰＩは、前記トリガーイベント識別子、前記指定されたビデオタイトルセットの識別子、及び前記指定されたナビゲーションパックの識別子を変数として有することを特徴とする情報保存媒体。
【請求項１３】
オーディオパック、ビデオパック、及びナビゲーションパックを含むビデオオブジェクトユニットで構成された少なくとも一つのビデオオブジェクトを含むデータ構造で記録されたＡＶデータ、及び所定イベントを発生させるイベント発生情報が記録された情報保存媒体を再生する方法において、
（ａ）前記イベント発生情報を解釈する段階と、
（ｂ）前記ＡＶデータをデコーディングする過程中に前記（ａ）段階で解釈された結果にマッチされるデータ構造が見つけられれば該当イベントを発生させる段階と、を含むことを特徴とする再生方法。
【請求項１４】
前記（ａ）段階は、
（ａ１）前記ビデオオブジェクトが再生されたＡＶ画面が表示される表示窓が定義されたマークアップ文書に記録されたイベント発生情報を解釈する段階と、
（ａ２）解釈された結果にマッチされるイベント発生地点を調べる段階とを含むことを特徴とする請求項１３に記載の再生方法。
【請求項１５】
前記ビデオタイトルは、オーディオパック、ビデオパック、及びナビゲーションパックを含むセルで構成された少なくとも一つのビデオオブジェクトを含み、
前記（ｂ）段階は、前記イベント発生地点のＡＶデータを再生する時に前記イベントを発生させる段階であることを特徴とする請求項１４に記載の再生方法。
【請求項１６】
前記（ｂ）段階は、
（ｂ１）指定されたビデオタイトルセットの指定されたナビゲーションパックに該当するビデオオブジェクトユニットの再生開始時点または数ｍｓｅｃ以後に指定されたコンテンツを画面に出力することを特徴とする請求項１５に記載の再生方法。
【請求項１７】
前記イベント発生情報は、トリガーイベント識別子、指定されたビデオタイトルの識別子、指定されたナビゲーションパックの識別子を含むことを特徴とする請求項１３に記載の再生方法。
【請求項１８】
前記トリガーイベント識別子は、トリガーイベントを設定する識別子、トリガーイベントを解除する識別子を含むことを特徴とする請求項１７に記載の再生方法。
【請求項１９】
前記イベント発生情報はＡＰＩで具現されることを特徴とする請求項１３に記載の再生方法。
【請求項２０】
前記ＡＰＩは、前記トリガーイベント識別子、前記指定されたビデオタイトルの識別子、及び前記指定されたナビゲーションパックの識別子を変数として有することを特徴とする請求項１９に記載の再生方法。
【請求項２１】
オーディオパック、ビデオパック、及びナビゲーションパックを含むビデオオブジェクトユニットで構成された少なくとも一つのビデオオブジェクトを含むデータ構造で記録されたＡＶデータ、及び所定イベントを発生させるイベント発生情報が記録された情報保存媒体を再生する装置において、
前記ＡＶデータまたはイベント発生情報を読取る読取り部と、
読取られたイベント発生情報を解釈してその結果を出力し、イベントを発生させるプレゼンテーションエンジンと、
読取られたＡＶデータをデコーディングする過程中に前記プレゼンテーションエンジンから伝えられた解釈結果にマッチされるデータ構造が見つけられれば、前記プレゼンテーションエンジンにイベントを発生させることを要請するデコーダと、を含むことを特徴とする再生装置。
【請求項２２】
前記プレゼンテーションエンジンは、前記ＡＶデータが再生されたＡＶ画面が表示される表示窓が定義されたマークアップ文書に記録されたイベント発生情報を解釈することを特徴とする請求項２１に記載の再生装置。
【請求項２３】
前記プレゼンテーションエンジンは、指定されたビデオタイトルセットの指定されたナビゲーションパックに該当するＡＶデータを再生する時に前記イベントを発生させることを特徴とする請求項２２に記載の再生装置。
【請求項２４】
前記プレゼンテーションエンジンは、前記指定されたビデオタイトルセットの指定されたナビゲーションパックに該当するビデオオブジェクトユニットの再生が始まる時点または数十ｍｓｅｃ後に指定されたコンテンツを画面に出力することを特徴とする請求項２３に記載の再生装置。
【請求項２５】
前記イベント発生情報はＡＰＩで具現されることを特徴とする請求項２４に記載の再生装置。
【請求項２６】
前記ＡＰＩは、トリガーイベント識別子、指定されたビデオタイトルの識別子、指定されたナビゲーションパックの識別子を媒介変数として有することを特徴とする請求項２５に記載の再生装置。
【請求項２７】
前記トリガーイベント識別子は、トリガーイベントを設定する識別子、トリガーイベントを解除する識別子を含むことを特徴とする請求項２６に記載の再生装置。
【発明の詳細な説明】
【技術分野】
【０００１】
本発明はインタラクティブＤＶＤに係り、より詳細にはＤＶＤ−ビデオフォーマットの変更なしにウェブ文書を再生できるように記録された情報保存媒体、その再生装置、及び再生方法に関する。
【背景技術】
【０００２】
パソコンに基づいて、ＡＶデータと共にウェブ文書が記録されたＤＶＤ（以下、インタラクティブＤＶＤ）が販売されている。インタラクティブＤＶＤに記録されたＡＶデータは２つの方法で再生される。その一つは、一般ＤＶＤと同じくディスプレイされるビデオモードであり、他の一つは、再生されたＡＶデータがウェブ文書により定義された表示窓を通じてディスプレイされるインタラクティブモードである。ユーザーによりインタラクティブモードが選択されれば、パソコンに搭載されたウェブブラウザはインタラクティブＤＶＤに記録されているウェブ文書をディスプレイする。ウェブ文書の表示窓にはユーザーが選択したＡＶデータが表示される。例えば、ＡＶデータが映画である場合、ウェブ文書の表示窓には映画が上映され、残りの部分には映画に関する映画の台本、シノプシス、出演俳優の写真など多様な付加情報が表示される。付加情報はイメージファイルまたはテキストファイルを含む。
【０００３】
ところで、インタラクティブモードでＡＶデータをＨＴＭＬ文法によって定義される表示窓を通じてディスプレイするためにはＡＶデータとウェブ文書との「同期化」が必要になる。ここで「同期化」は、ＡＶデータとウェブ文書とを再生して共にディスプレイするにおいて、所定時点で同時に再生される精密な同期化はもちろん両者間の関連性を維持できる程度の同期化を含む。従来インタラクティブモードでの「同期化」はソフトウェア的に具現されたタイマーに依存する。しかし、タイマーに依存した同期化はその具現が複雑になってしまう問題点がある。複数のイベントが同時に発生する場合にはさらにそうである。
【発明の開示】
【発明が解決しようとする課題】
【０００４】
したがって、本発明の目的は、より簡便にＡＶデータとマークアップ文書とを同期化して再生できるように記録された情報保存媒体、その再生方法及び再生装置を提供することである。
【０００５】
本発明の他の目的は、既存のＤＶＤ−ビデオフォーマットを活用してＡＶデータとマークアップ文書とを同期化して再生できるように記録された情報保存媒体、その再生方法及び再生装置を提供することである。
【０００６】
本発明のまた他の目的は、より簡便に所定イベント発生時点を指定し、その時点で特定イベントを発生させるように記録された情報保存媒体、その再生方法及び再生装置を提供することである。
【課題を解決するための手段】
【０００７】
前記目的は、本発明によって、オーディオパック、ビデオパック、及びナビゲーションパックを含むビデオオブジェクトユニットで構成された少なくとも一つのビデオオブジェクトを含むデータ構造で記録されたＡＶデータと、前記ＡＶデータのデータ構造に基づいて指定されたイベントを発生させるイベント発生情報とを含むことを特徴とする情報保存媒体により達成される。
【０００８】
前記情報保存媒体は、前記ＡＶデータが再生されたＡＶ画面が出力されるためのマークアップ文書をさらに含み、前記イベント発生情報は前記マークアップ文書に記録されていることが望ましい。
【０００９】
前記ＡＶデータは、少なくとも一つの前記ビデオオブジェクトで構成されたビデオタイトルセットで記録され、前記イベント発生情報は、指定されたビデオタイトルセットの指定されたナビゲーションパックに該当するビデオオブジェクトユニットを再生する時にトリガーイベントを発生させることを要請する情報であることが効果的である。すなわち、前記イベント発生情報は、指定されたビデオタイトルセットの指定されたナビゲーションパックに該当するビデオオブジェクトユニットを再生する時に指定されたコンテンツを画面に出力することを要請する情報である。
【００１０】
一方、本発明の他の分野によれば、前記目的は、オーディオパック、ビデオパック、及びナビゲーションパックを含むビデオオブジェクトユニットで構成された少なくとも一つのビデオオブジェクトを含むデータ構造で記録されたＡＶデータ、及び所定イベントを発生させるイベント発生情報が記録された情報保存媒体を再生する方法において、（ａ）前記イベント発生情報を解釈する段階と、（ｂ）前記ＡＶデータをデコーディングする過程中に前記（ａ）段階で解釈された結果にマッチされるデータ構造が見つけられれば該当イベントを発生させる段階とを含むことを特徴とする再生方法によっても達成される。
【００１１】
前記（ａ）段階は、（ａ１）前記ビデオオブジェクトが再生されたＡＶ画面が表示される表示窓が定義されたマークアップ文書に記録されたイベント発生情報を解釈する段階と、（ａ２）解釈された結果にマッチされるイベント発生地点を調べる段階と、を含むことが望ましい。
【００１２】
前記ビデオタイトルは、オーディオパック、ビデオパック及びナビゲーションパックを含むセルで構成された少なくとも一つのビデオオブジェクトを含み、前記（ｂ）段階は、前記イベント発生地点のＡＶデータを再生する時に前記イベントを発生させる段階であることが効果的である。
【００１３】
一方、本発明の他の分野によれば、前記目的は、オーディオパック、ビデオパック、及びナビゲーションパックを含むビデオオブジェクトユニットで構成された少なくとも一つのビデオオブジェクトを含むデータ構造で記録されたＡＶデータ、及び所定イベントを発生させるイベント発生情報が記録された情報保存媒体を再生する装置において、前記ＡＶデータまたはイベント発生情報を読取る読取り部と、読取られたイベント発生情報を解釈してその結果を出力し、イベントを発生させるプレゼンテーションエンジンと、読取られたＡＶデータをデコーディングする過程中に前記プレゼンテーションエンジンから伝えられた解釈結果にマッチされるデータ構造が見つけられれば、前記プレゼンテーションエンジンにイベントを発生させることを要請するデコーダと、を含むことを特徴とする再生装置によっても達成される。
【発明を実施するための最良の形態】
【００１４】
以下、添付された図面を参照して本発明の望ましい実施例を詳細に説明する。
【００１５】
本発明による情報保存媒体にはビデオオブジェクトを含むビデオタイトルセットが記録されている。ビデオオブジェクトはオーディオパック、ビデオパック、及びナビゲーションパックを含むビデオオブジェクトユニットで構成される。また、情報保存媒体にはインタラクティブモードを支援するためのマークアップ文書が記録されている。本明細書で「マークアップ文書」はマークアップ文書自体はもちろんマークアップ文書に挿入される多様なイメージファイル、グラフィックファイルなどを網羅したマークアップリソースを意味する。マークアップ文書画面は、マークアップ文書がマークアップ文書ビュアーにより解釈されてディスプレイされる画面を示す。マークアップ文書にはＡＶデータ、すなわち、ビデオオブジェクトユニットがデコーディングされて出力される表示窓が定義されている。また、本発明によってトリガーイベントを発生させるためのイベント発生情報が挿入されている。
【００１６】
本発明によるイベント発生情報は、情報保存媒体に記録されたＡＶデータのデータ構造をそのままにし、それに基づいて記述される。より具体的に、指定されたビデオタイトルセットの指定されたナビゲーションパックが見つけられれば、そのナビゲーションパックが入っているビデオオブジェクトユニットが再生される時に該当トリガーイベントを発生させることを要請する。これにより、該当ビデオオブジェクトユニットの再生が始まる時に指定されたコンテンツがマークアップ文書画面の所定領域に出力される。より詳細な説明は後述する。
【００１７】
図１は、本発明の望ましい実施例による情報保存媒体のディレクトリ構造図である。図１を参照するに、ルートディレクトリにはＡＶデータが含まれたＤＶＤビデオディレクトリＶＩＤＥＯ_ＴＳが設けられている。ＶＩＤＥＯ_ＴＳには情報保存媒体に記録されたビデオタイトル全体に対するナビゲーション情報が記録されたファイルＶＩＤＥＯ_ＴＳ．ＩＦＯが配置されている。ＶＩＤＥＯ_ＴＳ．ＩＦＯにはビデオタイトルセットに対してデフォルト値として指定された言語情報が記録されている。次いで、最初のビデオタイトルセットに対するナビゲーション情報が記録されたファイルＶＴＳ_０１_０．ＩＦＯが記録されており、ビデオタイトルセットを構成するビデオタイトルＶＴＳ_０１_０．ＶＯＢ、ＶＴＳ_０１_１．ＶＯＢ、…が記録されている。ＶＴＳ_０１_０．ＶＯＢ、ＶＴＳ_０１_１．ＶＯＢ、…はビデオオブジェクトという。各ＶＯＢは、ナビゲーションパック、ビデオパック、及びオーディオパックが入っている整数個のＶＯＢＵを有する。より詳細な構成はＤＶＤ−ビデオ標準案「ＤＶＤ−Ｖｉｄｅｏ  ｆｏｒ  Ｒｅａｄ  Ｏｎｌｙ  Ｍｅｍｏｒｙ  ｄｉｓｃ１.０」に開示されている。
【００１８】
ＤＶＤ_ＥＮＡＶには本実施例によるナビゲーションファイルＤＶＤ_ＥＮＡＶ．ＩＦＯが記録されている。例えば、ナビゲーションファイルには該当ディレクトリの定義、構成、含まれたタイトルの数、基本情報、タイトルに使われた言語、字幕及びフォントに対する情報、解像度と色相などのマークアップ文書表示情報、著作権情報などが記録される。さらに、ＤＶＤ_ＥＮＡＶにはＳＴＡＲＴＵＰ．ＨＴＭが設けられている。ＳＴＡＲＴＵＰ．ＨＴＭは、ＡＶ画面が出力される表示窓が定義されたマークアップ文書である。ここには、本発明によってトリガーイベントを発生させるためのイベント発生情報が挿入されている。ＳＴＡＲＴＵＰ．ＨＴＭに挿入されたイベント発生情報はＡＰＩ（アプリケーションプログラムインターフェース）で具現される。ＡＰＩはトリガーイベント識別子、指定されたビデオタイトルセットの識別子及び指定されたナビゲーションパックの識別子を媒介変数として有する。
【００１９】
また、ＤＶＤ_ＥＮＡＶにはＳＴＡＲＴＵＰ．ＨＴＭに記録されたプリロード情報によるプリロードを行うためのプリロードリストファイルＳＴＡＲＴＵＰ．ＰＬＤが設けられることがある。ＱＵＩＺ．ＰＮＧはＳＴＡＲＴＵＰ．ＨＴＭによるトリガーイベント発生時にＡＶ画面と同期化されて出力されるコンテンツが記録されたファイルの一例である。Ａ．ＨＴＭはプリロード対象ファイルであり、Ａ．ＰＮＧはＡ．ＨＴＭにリンクされたファイルである。本出願人は、大韓民国特許第０１−６５３９３号公報「プリロード情報が記録された情報保存媒体、その再生装置及び再生方法」を出願したことがある。「プリロード情報」、すなわち、プリロードリストファイル、プリロード対象ファイル、プリロードのためのＡＰＩに関する詳細な内容は既出願された明細書に詳細に説明されているので、ここでは必要な内容だけ略述する。
【００２０】
「プリロード情報」は、プリロード対象ファイルを読取ってキャッシュメモリに保存することを命令する情報である。プリロード情報は一例として、プリロードリストファイルの経路及び／または属性が挿入されているリンクタグで具現される。この時、リンクタグは１対のヘッドタグにより取り囲まれる。他の例として、プリロード情報は、プリロードリストファイルの経路及び／または属性を媒介変数として有し、プリロードリストファイルを呼び出すＡＰＩで具現される。プリロードリストファイル及びプリロード対象ファイルの経路にはリソースロケーターが付加される。したがって、ＤＶＤに記録されているプリロード対象ファイルＡ．ＨＴＭを呼び出す場合に使われる経路はｄｖｄ：／／ＤＶＤ_ＥＮＡＶ／Ａ．ＨＴＭで表示される。
【００２１】
図２Ａ及び図２Ｂは、図１のＤＶＤビデオの再生制御情報のデータ構造図である。図２Ａを参照するに、ＤＶＤビデオディレクトリにはビデオタイトル全体に対する概要情報が記録されたＶＭＧ（ビデオマネージャ）が保存されており、ｎ個のビデオタイトルセットＶＴＳ＃１、＃２、…、＃ｎが保存されている。図２Ｂを参照すれば、ＶＭＧはコントロールデータが記録されたＶＭＧＩ（ビデオマネージャインフォメーション）、ＶＭＧにリンクされたビデオオブジェクトセットＶＯＢＳ（ビデオオブジェクトセット）及びＶＭＧＩのバックアップデータを含む。ＶＯＢＳは含まれていないこともある。
【００２２】
図３は、図２ＡのＶＴＳの詳細構造図である。図３を参照するに、ＶＴＳ＃ｉは概要情報が記録されたビデオタイトルセット情報ＶＴＳＩ（ビデオタイトルセットインフォメーション）、メニュー画面を表示するためのＶＯＢＳ、ビデオタイトルセットを構成するＶＯＢＳ、及びＶＴＳＩのバックアップデータを含む。メニュー画面を表示するためのＶＯＢＳは存在しないこともある。
【００２３】
ビデオタイトルセットを構成するＶＯＢＳはＫ個のビデオオブジェクトＶＯＢ（ビデオオブジェクト）＃１、＃２、…、＃Ｋで構成される。ビデオオブジェクトＶＯＢはＭ個のセルＣｅｌｌ＃１、＃２、…、＃Ｍで構成される。各セルはＬ個のビデオオブジェクトユニットＶＯＢＵ＃１、＃２、…、＃Ｌで構成される。一つのＶＯＢＵは、該当ＶＯＢＵを再生したり探索するのに必要な一つのナビゲーションパックＮＶ_ＰＣＫを有する。また、該当ＶＯＢＵを構成するオーディオパックＡ_ＰＣＫ、ビデオパックＶ_ＰＣＫ、及びサブピクチュアパックＳＰ_ＰＣＫが多重化されて記録されている。
【００２４】
図４は、ナビゲーションパックＮＶ_ＰＣＫの詳細構造図である。図４を参照するに、ナビゲーションパックＮＶ_ＰＣＫはＰＣＩパケットＰＣＩ_ＰＫＴとＤＳＩパケットＤＳＩ_ＰＫＴとで構成される。ＰＣＩパケットにはビデオパック及び／またはオーディオパックを再生するのに必要なプレゼンテーション制御情報が記録される。ＤＳＩパケットには、ビデオパック及び／またはオーディオパックを探索するのに必要なデータ探索情報が記録される。
【００２５】
図５及び図６は、図４のＰＣＩパケットの詳細構造図である。図５を参照するに、ＰＣＩパケットにはヘッダ情報が保存されたＰＣＩ_ＧＩ、ノンシームレス再生のためのアングル情報が保存されたＮＳＭＬ_ＡＧＬＩ、ハイライト情報が記録されたＨＬＩ、及びレコーディング情報が保存されたＲＥＣＩが記録されている。
【００２６】
図６を参照するに、ＰＣＩ_ＧＩにはナビゲーションパックの番号ＮＶ_ＰＣＫ_ＬＢＮ（ロジカルブロックナンバー）、ＶＯＢＵの状態情報（ＡＰＳ（アナログプロテクションシステム）の状態）ＶＯＢＵ_ＣＡＴ、ＶＯＢＵが再生されて表示される時に禁止されるユーザーオペレーションを記述するＶＯＢＵ_ＵＯＰ_ＣＴＬ、ＶＯＢＵに入っているビデオデータの再生開始時点を記述するＶＯＢＵ_Ｓ_ＰＴＭ、ＶＯＢＵに入っているビデオデータの再生終了時点を記述するＶＯＢＵ_Ｅ_ＰＴＭ、ＶＯＢＵに入っているビデオデータの再生終了を知らせるコードＶＯＢＵ_ＳＥ_Ｅ_ＰＴＭ、及び該当セル内で該当ＶＯＢＵまでの再生経過時間を記述するＣ_ＥＬＴＭが備えられている。
【００２７】
図７及び図８は、プログラムチェーンＰＧＣを説明するための参考図である。
【００２８】
プログラムチェーンは、ビデオタイトルの全体または一部を再生するための論理ユニット、すなわち、プログラムの再生順序をいう。換言すれば、ビデオタイトルは一つ以上のプログラムチェーンで構成される。図７を参照すれば、プログラムチェーンは（ａ）一つのプログラムチェーンだけで構成されるビデオタイトルを示し、（ｂ）は２つ以上のプログラムチェーンで構成されるビデオタイトルを示す。図８を参照すれば、プログラムチェーンはプログラムチェーン情報ＰＧＣＩ（プログラムチェーンインフォメーション）により該当ＶＯＢのセルとリンクされている。ＰＧＣＩは、図２Ｂを参照して説明したＶＭＧＩ及び図３を参照して説明したＶＴＳＩに記述されている。プログラムチェーン情報はプログラムチェーン番号ＰＧＣＮ（プログラムチェーンナンバー）を含む。プログラムチェーン番号はプログラムチェーンに割当てられた一連番号であって、識別子の役割を行う。
【００２９】
本発明の一実施例によれば、ナビゲーションパックの番号ＮＶ_ＰＣＫ_ＬＢＮとビデオデータの再生開始時点を記述するＶＯＢＵ_Ｓ_ＰＴＭとが後述するようにトリガーイベントを発生させるための媒介変数として使われる。他の実施例によれば、プログラムチェーン番号と該当プログラムチェーンの再生経過時間とがトリガーイベントを発生させるための媒介変数として使われる。再生経過時間は、該当プログラムチェーンの再生が始まった時点からの経過時間を示す。また他の実施例によれば、ＶＭＧ内に含まれたタイトル番号ＴＴＮと該当タイトルの再生経過時間とがトリガーイベントを発生させるための媒介変数として使われる。
【００３０】
トリガーイベントを発生させるために、マークアップ文書ＳＴＡＲＴＵＰ．ＨＴＭに挿入されるＡＰＩ及び必要な媒介変数についてより詳細に説明すれば次の通りである。
【００３１】
１．ＤｖｄＶｉｄｅｏ．ＳｅｔＴｒｉｇｇｅｒ（ｔｒｉｇｇｅｒ_ｉｄ，ｖｔｓｎ，ｎｖ_ｌｂｎ，ｒｅｆ）
１）意味
指定されたビデオタイトルセットの指定されたナビゲーションパックが含まれたＶＯＢＵの再生を始める時にトリガーイベントを発生させることを指示する。
【００３２】
２）媒介変数
ｔｒｉｇｇｅｒ_ｉｄ：トリガーイベントの識別子
ｖｔｓｎ：トリガーイベントが発生するビデオタイトルセットの番号
ｎｖ_ｌｂｎ：トリガーイベントが発生するビデオタイトルセット内のナビゲーションパックの番号ＮＶ_ＰＣＫ_ＬＢＮ
ｒｅｆ：イベントが呼び出される時、変数２に入っていなければならない値
３）例
ＤｖｄＶｉｄｅｏ．ＳｅｔＴｒｉｇｇｅｒ（０，１，１０００，０）；／／ｖｔｓｎ＝１，ｎｖ_ｌｂｎ＝１０００に該当するナビゲーションパックを有するＶＯＢＵが再生され始める時点であるＶＯＢＵ_Ｓ_ＰＴＭにトリガーイベントを発生させる。ただし、このようなトリガーイベントはＡＶ画面と完壁に同期化される必要はない。たとえば、再生開始時点以後に数十ｍｓｅｃ（約５０ｍｓｅｃ）以内で発生させればよい。
【００３３】
２．ＤｖｄＶｉｄｅｏ．ＳｅｔＴｒｉｇｇｅｒ（ｔｒｉｇｇｅｒ_ｉｄ，ｖｏｂ_ｉｄ，ｖｏｂｕ_ｓ_ｐｔｍ，ｒｅｆ）
１）意味
現在再生中のタイトルが属しているビデオタイトルセットの指定されたナビゲーションパックが含まれたＶＯＢＵの再生を始める時にトリガーイベントを発生させることを指示する。
【００３４】
２）媒介変数
ｔｒｉｇｇｅｒ_ｉｄ：トリガーイベントの識別子
ｖｏｂ_ｉｄ：トリガーイベントが発生するビデオタイトル内のＶＯＢのＶＯＢ ＩＤ
ｖｏｂｕ_ｓ_ｐｔｍ：トリガーイベントが発生するビデオタイトルセット内のナビゲーションパックの番号ｖｏｂｕ_ｓ_ｐｔｍ値
ｒｅｆ：イベントが呼び出される時、変数２に入っていなければならない値
３）例
ＤｖｄＶｉｄｅｏ．ＳｅｔＴｒｉｇｇｅｒ（０，１，１８００００，０）；／／ｖｏｂ_ｉｄ＝１，ｖｏｂｕ_ｓ_ｐｔｍ＝１８００００に該当するナビゲーションパックを有するＶＯＢＵが再生され始める時点でトリガーイベントを発生させる。ただし、このようなトリガーイベントはＡＶ画面と完壁に同期化される必要はない。たとえば、再生開始時点以後に数秒以内に発生させればよい。また、ｖｏｂｕ_ｓ_ｐｔｍは１／９００００秒単位で処理される値であるため、著作者の便宜のためにｈｈ：ｍｍ：ｓｓ：ｍｓ（時：分：秒：ミリ秒）単位で媒介変数に与えられ、内部的に１／９００００秒単位に変換して処理することも可能である。
【００３５】
３．ＤｖｄＶｉｄｅｏ．ＳｅｔＴｒｉｇｇｅｒ（ｔｒｉｇｇｅｒ_ｉｄ，ｔｔｎ，ｅｌａｐｓｅｄ_ｔｉｍｅ，ｒｅｆ）
１）意味
指定されたビデオタイトル番号で指定された経過時点のナビゲーションパックが含まれたＶＯＢＵの再生を始める時にトリガーイベントを発生させることを指示する。
【００３６】
２）媒介変数
ｔｒｉｇｇｅｒ_ｉｄ：トリガーイベントの識別子
ｔｔｎ：トリガーイベントが発生するビデオタイトルの番号
ｅｌａｐｓｅｄ_ｔｉｍｅ：トリガーイベントが発生するビデオタイトル内の再生経過時点
ｒｅｆ：イベントが呼び出される時、変数２に入っていなければならない値
３）例
ＤｖｄＶｉｄｅｏ．ＳｅｔＴｒｉｇｇｅｒ（０，１，“００：２０：１０”，０）；／／ｔｔｎ＝１，ＰＧＣ再生中に２０分１０秒に該当するナビゲーションパックを有するＶＯＢＵが再生されればトリガーイベントを発生させる。ただし、このようなトリガートリガーイベントはＡＶ画面と完壁に同期化される必要はない。たとえば、再生開始時点以後に数十ミリ秒（約５０ｍｓｅｃ）以内に発生させればよい。
【００３７】
４．ＤｖｄＶｉｄｅｏ．ＣｌｅａｒＴｒｉｇｇｅｒ（ｔｒｉｇｇｅｒ_ｉｄ）
１）意味
要請したトリガーイベントを解除する。
【００３８】
２）媒介変数
ｔｒｉｇｇｅｒ_ｉｄ：トリガーイベントの識別子（“−１”を指定して発生したあらゆるトリガーイベントを解除せよとの意味で使用できる）
３）例
ＤｖｄＶｉｄｅｏ．ＣｌｅａｒＴｒｉｇｇｅｒ（−１）；／／あらゆるトリガーイベントを解除させる。
【００３９】
５．ＤｖｄＶｉｄｅｏ．ＶＴＳＮｕｍｂｅｒ
１）意味
現在再生中のＶＯＢＵが属しているビデオタイトルセットの番号を提供する。
【００４０】
２）例
ｖａｒ ａ＝ＤｖｄＶｉｄｅｏ．ＶＴＳＮｕｍｂｅｒ／／ａに現在再生されるビデオタイトルセットの番号を保存する。
【００４１】
６．ＤｖｄＶｉｄｅｏ．ＣｕｒｒｅｎｔＰｏｓｉｔｉｏｎ
１）意味
現在再生中のＶＯＢＵが属しているビデオタイトルセット内のナビゲーションパックの番号ＮＶ_ＰＣＫ_ＬＢＮを提供する。
【００４２】
２）例
ｖａｒ ｂ＝ＤｖｄＶｉｄｅｏ．ＣｕｒｒｅｎｔＰｏｓｉｔｉｏｎ／／ｂに現在再生されるビデオタイトルセット内のナビゲーションパックの番号を保存する。
【００４３】
７．ＤｖｄＶｉｄｅｏ．ＶＯＢ_ＩＤ
１）意味
現在再生中のＶＯＢＵが属しているビデオオブジェクト識別番号（ＶＯＢ_ＩＤ）。
【００４４】
２）例
ｖａｒ ａ＝ＤｖｄＶｉｄｅｏ．ＶＯＢ_ＩＤ／／ａに現在再生されるビデオビデオオブジェクト識別番号。
【００４５】
８．ＤｖｄＶｉｄｅｏ．ＣｕｒｒｅｎｔＴｉｍｅ
１）意味
現在再生中のＶＯＢＵが属しているナビゲーションパックのＶＯＢ_Ｓ_ＰＴＭを提供する。この時間は著作者が使用しやすくｈｈ：ｍｍ：ｓｓ：ｍｓ（時：分：秒：ミリ秒）形態に表現される。
【００４６】
２）例
ｖａｒ  ｂ＝ＤｖｄＶｉｄｅｏ．ＣｕｒｒｅｎｔＴｉｍｅ／／ｂに現在再生されるＶＯＢＵのＶＯＢ_Ｓ_ＰＴＭ番号をｂに保存する。
【００４７】
一方、後述するソースコードに挿入されるプリロードのためのＡＰＩは次の通りである。
【００４８】
１．ｎａｖｉｇａｔｏｒ．Ｐｒｅｌｏａｄ（ＵＲＬ，ｆｌａｇ）
１）意味
指示するプリロード対象ファイルをキャッシュメモリにあらかじめ読込むＡＰＩである。使われる媒介変数はプリロードリストファイル及びプリロード対象ファイルの位置情報を示す。
【００４９】
２）媒介変数
ＵＲＬ：プリロードリストファイルの経路またはプリロード対象ファイルの経路
ｆｌａｇ：プリロードリストファイルの場合１、プリロード対象ファイルの場合０
返還値：プリロードに成功すればｔｒｕｅを返還し、失敗すればｆａｌｓｅを返還する。
【００５０】
３）例
ｎａｖｉｇａｔｏｒ．Ｐｒｅｌｏａｄ（“ｈｔｔｐ：／／ｗｗｗ．ｈｏｌｅｙｗｏｏｄ．ｃｏｍ／ｔｏｍ．ＰＬＤ”，１）／／インターネットにある“ｈｔｔｐ：／／ｗｗｗ．ｈｏｌｅｙｗｏｏｄ．ｃｏｍ／ｔｏｍ．ＰＬＤ”のプリロードリストファイルを読取って指示するプリロード対象ファイルをキャッシュメモリにあらかじめ読込むこと。
【００５１】
２．ｎａｖｉｇａｔｏｒ．Ｐｒｅｌｏａｄ（ＵＲＬ，ｒｅｓＴｙｐｅ）
１）意味
指示するプリロード対象ファイルをキャッシュメモリにあらかじめ読込むＡＰＩである。
【００５２】
２）媒介変数
プリロードリストファイル、プリロード対象ファイルの位置情報、さらにプリロード対象ファイルの属性を示すことができる。
【００５３】
ＵＲＬ：プリロードリストファイルの経路またはプリロード対象ファイルの経路
ｒｅｓＴｙｐｅ：対象ファイルの属性
返還値：プリロードに成功すればｔｒｕｅを返還し、失敗すればｆａｌｓｅを返還する。
【００５４】
３）例
ｎａｖｉｇａｔｏｒ．Ｐｒｅｌｏａｄ（“ｄｖｄ：／／ｄｖｄ_ｅｎａｖ／ａ．ＨＴＭ”、“ｔｅｘｔ／ｘｍｌ”）／／ｄｖｄにある“ｄｖｄ：／／ｄｖｄ_ｅｎａｖ／ａ．ＨＴＭ”のプリロード対象ファイルを読込むこと。そのファイルはｘｍｌテキストファイルである。
【００５５】
ｎａｖｉｇａｔｏｒ．Ｐｒｅｌｏａｄ（“ｈｔｔｐ：／／ｗｗｗ．ｈｏｌｅｙｗｏｏｄ．ｃｏｍ／ｔｏｍ．ＨＴＭ”，“ｔｅｘｔ／ｈｔｍｌ”）／／インターネットにある“ｈｔｔｐ：／／ｗｗｗ．ｈｏｌｅｙｗｏｏｄ．ｃｏｍ／ｔｏｍ．ＨＴＭｌ”のファイルを読込むこと。そのファイルはｈｔｍｌテキストファイルである。
【００５６】
次はＤｖｄＶｉｄｅｏＥｖｅｎｔ  Ｏｂｊｅｃｔ構造の一例である。
【００５７】
【表１】
2005506652.tif 000003
次は、前述したＡＰＩを使用したＳＴＡＲＴＵＰ．ＨＴＭソースコードの一例である。
【００５８】
【表２】
2005506652.tif 000004
2005506652.tif 000005
次は、プリロードリストファイルＳＴＡＲＴＵＰ．ＰＬＤソースコードの一例である。
【００５９】
【表３】
2005506652.tif 000006
図９Ａ及び図９Ｂは、上のソースコードによってトリガーイベントが発生された画面である。図９Ａ及び図９Ｂを参照するに、ＮＶ_ＰＣＫ_ＬＢＮ＝０である時にはイベントが発生せず、指定されたイベント発生時点（ＮＶ_ＰＣＫ_ＬＢＮ＝１０００である時）にＡＶ画面にクイズファイルＱＵＩＺ．ＰＮＧによるクイズ画面（マークアップ文書画面）が出力されることが分かる。
【００６０】
図１０は、本発明の一実施例による再生装置のブロック図である。
【００６１】
図１０を参照すれば、再生装置はオーディオパック、ビデオパック、及びナビゲーションパックを含むビデオオブジェクトユニットで構成された少なくとも一つのビデオオブジェクトを含むデータ構造で記録されたＡＶデータ、及び前記ＡＶデータのデータ構造に基づいて指定されたイベントを発生させるイベント発生情報が記録されたディスク１００を再生する装置であって、リーダ１、デコーダ２、プレゼンテーションエンジン３、及びブレンダー４を含む。リーダ１はＡＶデータまたはイベント発生情報を読取る。プレゼンテーションエンジン３は読取られたイベント発生情報を解釈してデコーダ２に出力し、デコーダ２から要請されたイベントを発生させる。このために、プレゼンテーションエンジン３は、ＡＶデータが再生されたＡＶ画面が表示されるための表示窓が定義されたマークアップ文書を再生する時、そこに記録されたイベント発生情報を解釈してその解釈結果、すなわち、イベント発生が要請されたデータ構造に関する情報をデコーダ２に伝達する。一例として、イベント発生が要請された時点（地点）に関する情報は、所定ビデオタイトルセットの指定されたナビゲーションパックに基づいて表現できる。
【００６２】
他の例として、前述した実施例では該当ビデオタイトルセット番号ＶＴＳＮとナビゲーションパック番号ＮＶ_ＰＣＫ_ＬＢＮとに基づいてイベントを発生させたが、他のデータ条件、たとえば、ビデオオブジェクト番号ＶＯＢ_ＩＤとビデオオブジェクトユニット再生開始時間ＶＯＢＵ_Ｓ_ＰＴＭなどに基づいてイベントを発生させることもある。
【００６３】
また他の例として、プログラムチェーン番号と該当プログラムチェーンの経過時間とに基づいてイベントを発生させることがある。デコーダ２は読取られたＡＶデータをデコーディングする過程中にデータ構造を確認してイベント発生が要請された条件のデータが見つけられれば、これをプレゼンテーションエンジン３に知らせる。プレゼンテーションエンジン３は、該当データ構造を有するＡＶデータを再生する時、一例として、指定されたビデオタイトルセットの指定されたナビゲーションパックに該当するＶＯＢＵが再生され始める時点または数十ｍｓｅｃ以後に指定されたコンテンツを画面に出力する。他の例として、指定されたプログラムチェーンの指定された経過時間または数十ｍｓｅｃ以後に指定されたコンテンツを画面に出力する。
【００６４】
図１１は、本発明の他の実施例による再生装置のブロック図である。ただし、図１０のブロックと同じ機能を行うブロックについては重複する説明を省略する。
【００６５】
図１１を参照すれば、デコーダ２はバッファ２１、デマルチプレクサ２２、ストリームデコーダ２３、ＳＣＲ（Ｓｙｓｔｅｍ  Ｃｌｏｃｋ  Ｒｅｆｅｒｅｎｃｅ）ジェネレータ２４、トリガージェネレータ２５を含む。バッファ２１は、ＡＶデータとして本実施例によるＭＰＥＧＰＳストリームを入力されてバッファリングする。デマルチプレクサ２２は、ＭＰＥＧ  ＰＳストリームを各パケットにデマルチプレクスする。ＳＣＲジェネレータ２４は、各パケットに添付されたクロック情報をモニタリングして所定クロック値に基づいて該当ＳＣＲを生成する。トリガージェネレータ２５は、プレゼンテーションエンジン３からイベント発生情報を受信して、該当ＳＣＲでのトリガー発生時点をプレゼンテーションエンジン３に知らせる。一方、ストリームデコーダ２３は、ＳＣＲによってストリームパケットをデコーディングする。
【００６６】
図１２は、図１０及び図１１の再生装置が本発明によってイベントを発生させる過程をより詳細に説明するための参考図である。
【００６７】
図１２を参照するに、ディスプレイ画面にはマークアップ文書画面にＡＶ画面が埋め立てられて表示されている。プレゼンテーションエンジン３は、デコーダ２にトリガーイベントのためのトリガー位置を設定する。すなわち、対応マークアップ文書に記録されたＡＰＩを解釈してトリガーイベントが設定された媒介変数の値をデコーダ２に伝達する。デコーダ２は、媒介変数値にマッチされるビデオタイトルセットのナビゲーションパックが確認されれば、プレゼンテーションエンジン３にトリガー識別子を伝達してイベントを発生させることを知らせる。これにより、プレゼンテーションエンジン３は内蔵されたイベントハンドラを呼び出し、イベントハンドラは要請されたイベント発生時点または数ｍｓｅｃ以後に該当コンテンツを画面に出力するイベントを発生させる。
【００６８】
さらに、プレゼンテーションエンジン３は要請されたイベント発生時点または数ｍｓｅｃ以後に該当ファイルをプリロードするイベントを発生させることができる。
【００６９】
前記のような構成に基づいて本発明による再生方法を説明すれば次の通りである。
【００７０】
図１３は、本発明による再生方法を説明するためのフローチャートである。図１３を参照するに、再生装置はディスク１００に記録されたイベント発生情報を解釈し（１３０１段階）、ＡＶデータのデコーディング過程中に前記ＡＶデータのデータ構造を確認して該当イベント発生地点でイベントを発生させる（１３０２段階）。
【００７１】
図１４は、図１３の一例を説明したフローチャートである。図１４を参照するに、再生装置は再生要請されたビデオオブジェクトを再生してＡＶ画面を出力する一方、出力されたＡＶ画面をマークアップ文書画面の表示窓に表示する。この時、マークアップ文書に記録されたイベント発生情報を解釈して（１４０１段階）前記１４０１段階で解釈されたデータ構造に基づいて指定されたイベント発生地点を検出し（１４０２段階）、検出したイベント発生地点のＡＶデータが再生される時に該当イベントを発生させる（１４０３段階）。
【００７２】
図１５は、図１４の具現例を説明したフローチャートである。図１５を参照するに、再生装置のデコーダ２はユーザーから再生要請されたビデオオブジェクトを再生する（１５０１段階）。一方、プレゼンテーションエンジン３は該当マークアップ文書に記録されたＡＰＩを解釈して対応媒介変数値をデコーダ２に伝達する（１５０２段階）。デコーダ２は、伝えられた媒介変数値にマッチされるビデオタイトルセットの指定されたナビゲーションパックが含まれているビデオオブジェクトユニットが確認されるか、またはプログラムチェーン番号と経過時間とが確認されればこれをプレゼンテーションエンジン３に知らせ、プレゼンテーションエンジン３は、イベントハンドラを呼び出して該当ビデオオブジェクトユニットの再生が始まる時点または数十ｍｓｅｃ以後に指定されたコンテンツを画面に出力する。または、該当プログラムチェーンの該当経過時間または数十ｍｓｅｃ以後に指定されたコンテンツを画面に出力する（１５０３段階）。該当イベントがプリロードである場合には対応プリロード対象ファイルをプリロードする。
【００７３】
前述した実施例では該当ビデオタイトルセット番号ＶＴＳＮとナビゲーションパック番号ＮＶ_ＰＣＫ_ＬＢＮとに基づいてイベントを発生させたが、他のデータ構造、たとえば、ビデオオブジェクト番号ＶＯＢ_ＩＤとビデオオブジェクトユニットの再生開始時間ＶＯＢＵ_Ｓ_ＰＴＭなどに基づいてイベントを発生させることができる。
【００７４】
前記再生方法はコンピュータプログラムで作成可能である。前記プログラムを構成するコード及びコードセグメントは当該分野のコンピュータプログラマーによって容易に推論されうる。また、前記プログラムはコンピュータが読取れる情報保存媒体に保存され、コンピュータによって読取られて実行されることによってマークアップ文書とＡＶデータとを記録及び再生する方法を具現する。前記情報保存媒体は磁気記録媒体、光記録媒体、及びキャリヤウェーブ媒体を含む。
【００７５】
これまで本発明についてその望ましい実施例を中心として説明した。当業者ならば本発明が本発明の本質的な特性から離脱しない範囲で変形された形態に具現されうることを理解できる。したがって、開示された実施例は限定的な観点ではなく説明的な観点で考慮されねばならない。本発明の範囲は特許請求の範囲に現れており、それと同等な範囲内にあるあらゆる差異点は本発明に含まれていると解釈されねばならない。
【産業上の利用可能性】
【００７６】
前述したように、本発明によれば、既存のＤＶＤ−ビデオのデータ構造をそのまま活用してさらに簡便に所定イベント発生時点を指定し、その時点で特定イベントを発生させることができる。これにより、さらに容易にマークアップ文書画面をＡＶ画面に同期化させて出力できる。すなわち、マークアップ文書画面をＡＶ画面に同期化させて出力するためにソフトウェアタイマーを動作させる必要がなくて簡便に具現できる。指定された時点でプリロードを行える。
【図面の簡単な説明】
【００７７】
【図１】図１は、本発明の望ましい実施例による情報保存媒体のディレクトリ構造図である。
【図２Ａ】図１のＤＶＤビデオの再生制御情報のデータ構造図である。
【図２Ｂ】図１のＤＶＤビデオの再生制御情報のデータ構造図である。
【図３】図２ＡのＶＴＳの詳細構造図である。
【図４】ナビゲーションパックＮＶ_ＰＣＫの詳細構造図である。
【図５】図４のＰＣＩパケットの詳細構造図である。
【図６】図４のＰＣＩパケットの詳細構造図である。
【図７】プログラムチェイーンＰＧＣを説明するための参考図である。
【図８】プログラムチェイーンＰＧＣを説明するための参考図である。
【図９Ａ】ＮＶ_ＰＣＫ_ＬＢＮ＝０である時の映像を示す図である。
【図９Ｂ】ＮＶ_ＰＣＫ_ＬＢＮ＝１０００である時の映像を示す図である。
【図１０】本発明の一実施例による再生装置のブロック図である。
【図１１】本発明の他の実施例による再生装置のブロック図である。
【図１２】図１０及び図１１の再生装置が本発明によってイベントを発生させる過程をより詳細に説明するための参考図である。
【図１３】本発明による再生方法を説明するためのフローチャートである。
【図１４】図１３の一例を説明したフローチャートである。
【図１５】図１４の具現例を説明したフローチャートである。
【図１】
2005506652.tif 000007
【図２Ｂ】
2005506652.tif 000008
【図３】
2005506652.tif 000009
【図５】
2005506652.tif 000010
【図６】
2005506652.tif 000011
【図８】
2005506652.tif 000012
【図９Ｂ】
2005506652.tif 000013
【図１０】
2005506652.tif 000014
【図１１】
2005506652.tif 000015
【図１２】
2005506652.tif 000016
【図１３】
2005506652.tif 000017
【図１４】
2005506652.tif 000018
【図１５】
2005506652.tif 000019
【国際公開パンフレット】
2005506652.tif 000020
2005506652.tif 000021
2005506652.tif 000022
2005506652.tif 000023
2005506652.tif 000024
2005506652.tif 000025
2005506652.tif 000026
2005506652.tif 000027
2005506652.tif 000028
2005506652.tif 000029
2005506652.tif 000030
2005506652.tif 000031
2005506652.tif 000032
2005506652.tif 000033
2005506652.tif 000034
2005506652.tif 000035
2005506652.tif 000036
2005506652.tif 000037
2005506652.tif 000038
2005506652.tif 000039
2005506652.tif 000040
2005506652.tif 000041
2005506652.tif 000042
2005506652.tif 000043
2005506652.tif 000044
2005506652.tif 000045
2005506652.tif 000046
2005506652.tif 000047
2005506652.tif 000048
2005506652.tif 000049
2005506652.tif 000050
2005506652.tif 000051
2005506652.tif 000052
2005506652.tif 000053
2005506652.tif 000054
2005506652.tif 000055
2005506652.tif 000056
2005506652.tif 000057
2005506652.tif 000058
【国際調査報告】
2005506652.tif 000059